(57)【特許請求の範囲】
【請求項１】
写真フイルムの撮影画面の１コマあたりに２個ずつ設けられたパーフォレーションに間欠に噛合し、写真フイルムの移送によって回転される従動スプロケットと、この従動スプロケットと同軸で回転されてシャッタチャージを行う回転部材と、この回転部材に係合してフイルム巻止めを行う係止レバーと、該回転部材に噛合して一目盛り分ずつ回動される撮影枚数表示板とを備えたシャッタチャージ機構において、
前記写真フイルムへの規定枚数の撮影が終了してフイルム巻上げが行われ、従動スプロケットとパーフォレーションとの噛合が解除された際に、前記撮影枚数表示板の回動を阻止することによって、該従動スプロケットの回転を停止させることを特徴とするシャッタチャージ機構。
【発明の詳細な説明】
【０００１】
【発明の属する技術分野】
本発明はシャッタチャージ機構に関し、更に詳しくは、写真フイルムの現像処理時に使用される露光禁止領域への撮影を防止するための改良に関するものである。
【０００２】
【従来の技術】
現在普及している１３５サイズの写真フイルムよりも写真プリント処理を効率よく行える、新たなパーフォレーションの配列フォーマットをもった写真フイルムが提案されている。この写真フイルムでは、パーフォレーションが長い間隔と短い間隔とで交互に配列されており、長い間隔で並んだパーフォレーションの対の間に１コマの撮影が行われる。また、この写真フイルムには、カメラやレンズ付きフイルムユニット等によって実際に撮影が行われる撮影領域と、撮影が禁止される露光禁止領域とが設けられている。この露光禁止領域は、撮影領域を挟む両端側に配置されており、現像処理時に使用されることから確実に未露光の状態であることが必要となる。
【０００３】
低価格なカメラやレンズ付きフイルムユニットでは、１コマ撮影後の写真フイルムの移送力を利用して、シャッタチャージや撮影枚数表示の更新等を行うシャッタチャージ機構が用いられている。上述した新規な写真フイルムには、前記のようなシャッタチャージ機構を備え、更に写真フイルムの自由端側のコマから順に撮影を行うカメラのために、自由端側のコマの先頭側に一対のパーフォレーションが設けられている。
【０００４】
【発明が解決しようとする課題】
しかしながら、上記先頭側の一対のパーフォレーションは、プレワインディング方式のカメラやレンズ付きフイルムユニットでは、最後端のコマに配置されることになり、撮影領域への撮影が終了した後に再びシャッタチャージが行われることになる。プレワインディング方式のカメラやレンズ付きフイルムユニットの場合、撮影領域への撮影終了後に写真フイルムの自由端側の露光禁止領域をパトローネ内に全て巻き上げる作業が行われるが、このときにカメラやレンズ付きフイルムユニットに何らかの振動や衝撃等が与えられると、シャッタレリーズされてしまうことがある。このように、フイルム巻上げ中にシャッタレリーズされると、露光禁止領域に撮影が行われてしまうという問題がある。
【０００５】
本発明は、上記問題点に鑑みてなされたもので、現像処理時に使用される露光禁止領域を確実に未露光状態に維持するシャッタチャージ機構を提供することを目的とする。
【０００６】
【課題を解決するための手段】
上記問題点を解決するために、請求項１記載のシャッタチャージ機構は、写真フイルムへの規定枚数の撮影が終了してフイルム巻上げが行われ、従動スプロケットとパーフォレーションとの噛合が解除された際に、撮影枚数表示板の回動を阻止することにより、該表示板に噛合された回転部材とこの回転部材と同軸の従動スプロケットの回転とを阻止するようにしたものである。
【０００７】
これによれば、規定枚数の撮影終了後に従動スプロケットがパーフォレーションに噛合されなくなるので、再度シャッタチャージされることはなく、当然シャッタレリーズされることもない。また、部品点数の増加等を行わずに僅かな部品の改造のみで実施することができる。
【０００８】
【発明の実施の形態】
図２は、本発明のシャッタチャージ機構が組み込まれたレンズ付きフイルムユニットの外観を示すものである。レンズ付きフイルムユニット２は、写真フイルムパトローネやシャッタチャージ機構が内蔵されたユニット本体３と、これを収納する紙箱４とから構成されている。紙箱４は、ユニット本体３に組み込まれた巻上げノブ５，シャッタボタン６等を露呈させるような輪郭となっており、また、撮影レンズ７，ファインダ８及び撮影枚数表示窓９等を露出させるための穴が設けられている。
【０００９】
ユニット本体３は、図３に示すように、本体基部１２、後カバー１３、露光ユニット１４、及び前カバー１５とから構成されている。本体基部１２の前面には、露光ユニット１４が着脱自在に取り付けられる。露光ユニット１４には、撮影レンズ７を備えた露光付与機構やシャッタチャージ機構等が組み込まれている。後カバー１３は、本体基部１２の背後に着脱自在に取り付けられ、本体基部１２との間でパトローネ付き写真フイルム１６を光密に収納する。
【００１０】
前カバー１５は、本体基部１２の前面に着脱自在に取り付けられる。この前カバー１５の上面には、一部を切り欠いて弾性自在に形成したシャッタボタン６が設けられている。このシャッタボタン６の下部には、押圧ロッド１８が設けられており、詳しくは後述する露光ユニット１４の構成部品を押圧して露光付与機構を作動させる。
【００１１】
本体基部１２には、パトローネ２０を収納するためのパトローネ収納室２１と、パトローネ２０から全部引き出した未露光の写真フイルム２２をフイルムロール２２ａの形態で収納するためのフイルムロール室２３とが一体成形されている。パトローネ２０は、プラスチックで形成されており、未使用時には写真フイルム２２を全て内部に収納しておき、使用時にはスプール３６の回転によって写真フイルム２２を外部に送り出す。フイルムロール２２ａは、巻芯２４に巻き付けて形成されており、後カバー１３に設けた一対のフォーク２５，２６によって上下端がフイルムロール室２３の内部で回動自在に支持される。
【００１２】
パトローネ収納室２１とフイルムロール室２３との底は開口となっており、パトローネ付き写真フイルム１６を装填した後に、後カバー１３に設けたプルトップ式の底蓋２８，２９によってそれぞれ塞がれる。
【００１３】
パトローネ収納室２１とフイルムロール室２３との間には、暗箱３１が設けられている。暗箱３１の背面側には露光開口が形成されている。この露光開口は、ここを通るフイルム面とともに撮影レンズ７を通る光軸７ａを中心として湾曲した形状となっている。また後カバー１３には、フイルム面に対峙する部分にフイルム支持面３２が形成されている。このフイルム支持面３２もフイルム面と同じに湾曲している。
【００１４】
暗箱３１の前面側には、撮影レンズ７を透過した被写体光を露光開口に導くための開口３４が形成されている。また、暗箱３１の上方には、後に詳述する従動スプロケットを写真フイルム２２に向けて露呈させるための開口３１ａが形成されている。この開口３１ａは、撮影レンズ７側から見た露光開口に対して上方左側に形成されている。
【００１５】
巻上げノブ５は、パトローネ収納室２１の上面に回動自在に配置され、パトローネ収納室２１に装填されたパトローネ２０のスプール３６に係合している。この巻上げノブ５は、一部が後カバー１３から露呈されており、この露呈された部分をフイルム巻上げ方向（図中反時計方向）に回転操作することにより、スプール３６がフイルム巻取り方向に回転されて撮影済みの写真フイルム２２がパトローネ２０内に収納される。
【００１６】
巻上げノブ５の外周には、歯列５ａが形成されている。この歯列５ａには、本体基部１２に設けた逆止爪３７が係合している。逆止爪３７は、巻上げノブ５がフイルム巻上げ方向とは逆の方向（図中時計方向）に回転操作されることを禁止している。
【００１７】
写真フイルム２２は、図４に示すように、フイルム自由端部２２ｂ，撮影領域２２ｃ，フイルム係止部２２ｄから構成されている。撮影領域２２ｃには、一方の側縁に沿ってサイズの異なった大小２個のパーフォレーション３９，４０が２種類の間隔で交互に配列されており、間隔の長いパーフォレーション３９，４０の間の中心を前記露光開口のフイルム給送方向（長手方向）の中心に合わせた状態で撮影を行いコマ４１が形成される。撮影領域２２ｃは、最初に撮影が行われるコマ４１ａと、最後に撮影が行われるコマ４１ｂとを含む規定撮影枚数分のコマ４１が形成されるだけの長さを有している。
【００１８】
フイルム係止部２２ｄは、パトローネ２０のスプール３６に係止されており、巻上げノブ５の操作によるスプール３６の回転によってスプール３６に巻き付けられる。フイルム自由端部２２ｂとフイルム係止部２２ｄとは、撮影に用いられない領域とされており、現像処理時等に使用するための露光禁止領域となっている。そのため、フイルム自由端部２２ｂフイルム係止部２２ｄとは、未露光の状態でパトローネ２０内に巻き上げられる。
【００１９】
写真フイルム２２は、一般のカメラに用いられる市販の写真フイルムに追加工が施されてレンズ付きフイルムユニット２専用のものとされている。写真フイルム２２と市販の写真フイルムとの差異は、コマ４１のフイルム巻上げ方向の先頭側に配置されるパーフォレーション３９の大きさである。市販の写真フイルムのパーフォレーションは、全てパーフォレーション４０と同サイズとされているが、写真フイルム２２のパーフォレーション３９は、フイルム巻上げ方向の上流側に大きく広げられて、市販の写真フイルムをレンズ付きフイルムユニットに装填できないようにしている。
【００２０】
また、写真フイルム２２には、フイルム係止部２２ｄ側のコマ４１ａ（レンズ付きフイルムユニットでは最初のコマ）の隣に小パーフォレーション４０ａが１個形成されている。これは、レンズ付きフイルムユニット２では短い間隔で並んだ大小のパーフォレーション３９，４０の一対によって従動スプロケットを回転させ、シャッタチャージやフイルム巻止め等を行うためである。
【００２１】
また、市販の写真フイルムには、低価格なカメラでのパーフォレーションの利用を想定して最終コマ４１ｂ（一般のカメラでは最初のコマ）の後端側にパーフォレーションが形成されているが、このパーフォレーションもレンズ付きフイルムユニット用に広げられて、大パーフォレーション３９ｂとなっている。
【００２２】
露光ユニット１４には、シャッタチャージ機構が設けられている。このシャッタチャージ機構は、図１及び図５に示すように、暗箱３１を構成するベース板４３の上面に形成された軸４４に順に挿入されるシャッタ駆動レバー４５，撮影枚数表示板４６と、軸４７に順に挿入される捩じりバネ４８，係止レバー４９と、軸受け開口５０に挿入される回転部材５１と、軸５２に挿入される付勢部材５３と、従動スプロケット５４，シャッタ羽根５５とから構成されている。なお、軸４４は本来二点鎖線４４ａで示す位置に立設されているが、軸５２を図示するために位置をずらして記載している。
【００２３】
従動スプロケット５４は、回転部材５１の下部に係合されて、暗箱３１の上部の開口３１ａからフイルム面に向けて露呈される。従動スプロケット５４の円周面５４ａには、短い間隔で並んだ一対の大小パーフォレーション３９，４０に順次に噛合する一対の大小の歯５７，５８が、１８０°の回転対称で２対もうけられている。そして、１コマ分の写真フイルム２２がパトローネ２０内に巻き上げられる際にフイルム移送に従動して半回転される。
【００２４】
大歯５７は、小パーフォレーション４０には噛合できず、大パーフォレーション３９にのみ噛合する大きさとされており、小歯５８は小パーフォレーション４０に噛合する大きさとされている。これにより、全てのパーフォレーションの大きさが小パーフォレーション４０と同じである市販の写真フイルムをレンズ付きフイルムユニットに装填しても、大歯５７はパーフォレーションに噛合できないので、レンズ付きフイルムユニットへの写真フイルムの詰替えを防止することができる。
【００２５】
また、大歯５７は内部が肉抜きされているので、市販の写真フイルムのパーフォレーションに噛合できるようにするために切削加工等が施されると従動スプロケット５４から取れてしまう。更に、大歯５７は従動スプロケット５４に対して弾性変形が可能とされているので、従動スプロケット５４とパーフォレーション３９との噛合が失敗した場合に、従動スプロケット５４が写真フイルム２２に食い込むことによる巻上げ不良は発生しない。
【００２６】
回転部材５１は、下方側から軸受け開口５０に挿入される軸６０と、従動スプロケット５４の回転補助を行う被押圧部６１と、シャッタチャージを行うシャッタチャージカム６２と、フイルム巻止めを行う巻止めカム６３と、撮影枚数表示板４６を一目盛り分ずつ回動させる二歯ギヤ６４とから構成されており、これらは一体に形成されている。
【００２７】
被押圧部６１は、外周に１８０°の回転対称で一対の突起６１ａが設けられている。写真フイルム２２にはパーフォレーションが連続的に設けられていないことから、従動スプロケット５４の歯５７，５８がパーフォレーション３９，４０との何れとも噛合されない状態が発生してしまう。そのため、この状態のときに付勢部材５３が突起６１ａを押圧して回転部材５１を従動方向に回動させるようになっている。これにより、従動スプロケット５４の歯５８は、次のパーフォレーション４０に噛合可能な位置まで移動されることになる。
【００２８】
付勢部材５３は、上面に突起５３ａが形成されており、この突起５３ａがシャッタ駆動レバー４５の下面に形成された付勢突起４５ａによって押圧されることにより、軸５２を中心に反時計方向に回動されて被押圧部６１の突起６１ａを押圧する。シャッタ駆動レバー４５は、捩じりバネ４８の一端４８ａによって反時計方向（レリーズ完了位置）に向けて付勢されている。これにより、レリーズ終了後には付勢突起４５ａが突起５３ａを押圧する。そして、シャッタ駆動レバー４５がチャージ位置に向けて時計方向に回動されると、付勢突起４５ａは徐々に突起５３ａの付勢を弱めていく。
【００２９】
シャッタチャージカム６２は、外周に１８０°の回転対称で羽根形状をした突起６２ａが設けられている。シャッタ駆動レバー４５は、回転部材５１が半回転されたときに突起６２ａによって突部４５ｂが押圧され、時計方向（チャージ位置）に向けて回動される。そして、シャッタ駆動レバー４５は、立ち上がり片４５ｃが係止レバー４９の下突条部４９ａに係合してチャージ位置に保持される。
【００３０】
係止レバー４９は、捩じりバネ４８の他端４８ｂによって時計方向（巻止め位置）に向けて付勢されており、爪部４９ｂが巻止めカム６３の外周面６３ａに当接されている。回転部材５１が半回転して爪部４９ｂが巻止めカム６３の溝６３ｂに合致すると、係止レバー４９は捩じりバネ４８の付勢によって時計方向に僅かに回動され、爪部４９ｂが溝６３ｂに挿入される。これにより回転部材５１の回転が阻止されてフイルム巻止め状態となる。また、このときには巻止め爪４９ｃが巻上げノブ５の歯列５ａに噛合してフイルム巻上げ操作を阻止する。
【００３１】
回転部材５１が半回転されたときには二歯ギヤ６４も半回転される。二歯ギヤは撮影枚数表示板４６の外周に形成された歯列４６ａに噛合されており、撮影枚数表示板４６は二歯ギヤ６４の回転によって一目盛り分だけ時計方向に回動される。撮影枚数表示板４６の上面には、その回転ピッチに対応して枚数表示用の目盛りが設けられており、この目盛りは表示窓９を通して観察することができる。この目盛りは、その時点で撮影可能なフイルム枚数、すなわち残数表示目盛りとなっている。
【００３２】
シャッタボタン６が押下されると、押圧ロッド１８が係止レバー４９の立ち下がり片４９ｄを押圧して反時計方向（巻止め解除位置）に向けて回動させる。これにより、係止レバー４９の下突条部４９ａとシャッタ駆動レバー４５の立ち上がり片４５ｃとの係合が解除されるので、シャッタ駆動レバー４５は捩じりバネ４８の付勢によって反時計方向に回動される。シャッタ羽根５５は、ベース板４３の上方に突き出された作用片５５ａをシャッタ駆動レバー４５の蹴飛ばしアーム４５ｄによって蹴飛ばす。これにより、シャッタ羽根５５は軸６６を中心にして揺動され、シャッタ開口６７が開放されて写真フイルム２２への露光が行われる。また、シャッタ羽根５５は引き戻しバネ６８の付勢によって反時計方向に回動されるので、すぐにシャッタ開口６７は閉じられる。
【００３３】
係止レバー４９が反時計方向に回動されると、巻止め爪４９ｃが歯列５ａから退避し、爪部４９ｂが溝６３ｂから退避され、巻上げノブ５が回動可能となる。巻上げノブ５をフイルム巻上げ方向（反時計方向）に回転操作すると、写真フイルム２２は１コマ分がパトローネ２０内に巻き上げられ、前述のように回転部材５１が半回転されて、シャッタチャージと撮影枚数表示板４６の一目盛り分の回動とフイルム巻止めとが行われる。
【００３４】
上記のようなシャッタチャージ機構において、シャッタチャージ及びシャッタレリーズが繰り返される。そして、最後のコマ４１ｂへの撮影が終了すると、巻上げノブ５の回転操作による、コマ４１ｂとフイルム自由端部２２ｂ（露光禁止領域）とを含む、残りの写真フイルム２２のパトローネ２０内への巻き上げが行われる。巻上げノブ５が操作されると写真フイルム２２が移送され、従動スプロケット５４は、コマ４１ｂの後端部に設けられた最後のパーフォレーション３９ｂ，４０ｂによって回動される。そして、従動スプロケット５４が半回転する以前に、大歯５７と大パーフォレーション３９ｂとの噛合が解除され、暗箱３１上の開口３１ａから大歯５７と小歯５８とが突出されていない状態となる。
【００３５】
撮影枚数表示板４６の下面には、突起７０が形成されている。この突起７０は、前述のように最終コマ４１ｂへの撮影後のフイルム巻上げによって撮影枚数表示板４６が回動され始めたとき（大歯５７と大パーフォレーション３９ｂとの噛合が解除された際）に、係止レバー４９の先端片４９ｅに突き当たる。
【００３６】
撮影枚数表示板４６の突起７０と係止レバー４９とが当接すると、撮影枚数表示板４６はその後の回動が阻止され、撮影枚数表示窓９には残枚数を示す数字「０」が表示される。また、撮影枚数表示板４６に噛合された二歯ギヤ６４を含む回転部材５１の回転も阻止されるので、回転部材５１と同軸とされた従動スプロケット５４は、大歯５７，小歯５８ともに開口３１ａから突出されない状態で停止される。
【００３７】
これにより、写真フイルム２２が更に巻き上げられても従動スプロケット５４は回動されないので、フイルム巻き止めが行われず、写真フイルム２２を支障なくパトローネ２０内に巻き上げることができる。また、当然シャッタチャージも行われないので、フイルム自由端側２２ｂに撮影が行われることはない。
【００３８】
なお、上記実施形態は、レンズ付きフイルムユニット用のシャッタチャージ機構について説明したが、カメラ用のシャッタチャージ機構にも用いることができる。また、撮影枚数表示板の回動を阻止することにより、従動スプロケットの回動を阻止するようにしたが、撮影枚数表示板に連動するその他の部品を係止することによって、従動スプロケットの回動を阻止することもできる。
【００３９】
【発明の効果】
以上説明したように、本発明のシャッタチャージ機構は、写真フイルムへの規定枚数の撮影終了後のフイルム巻上げ時に、撮影枚数表示板の回動を阻止することにより、従動スプロケットの回動を阻止するようにしたので、シャッタチャージが行われることはなく、現像処理時に使用される露光禁止領域への撮影を確実に防止することができる。また、部品点数の増加等なく、低コストに実施することができる。更に、この時に構成部品が破壊されることはないので、シャッタチャージ機構を容易にリユースすることができる。
【図面の簡単な説明】
【図１】本発明のシャッタチャージ機構の規定枚数撮影後のフイルム巻上げ時の状態を示す概略図である。
【図２】本発明のシャッタチャージ機構が組み込まれたレンズ付きフイルムユニットの外観を示す斜視図である。
【図３】ユニット本体の構成を示す分解斜視図である。
【図４】パトローネ付き写真フイルムの構成を示す概略図である。
【図５】本発明のシャッタチャージ機構の構成を示す分解斜視図である。
【符号の説明】
２  レンズ付きフイルムユニット
２２  写真フイルム
３９  大パーフォレーション
４０  小パーフォレーション
４６  撮影枚数表示板
４９  係止レバー
４９ｅ  先端片
５１  回転部材
５４  従動スプロケット
５７  大歯
５８  小歯
７０  突起
【図１】
0003609173.tif 000002
【図２】
0003609173.tif 000003
【図３】
0003609173.tif 000004
【図４】
0003609173.tif 000005
【図５】
0003609173.tif 000006